(57)【特許請求の範囲】
【請求項１】
ロール紙１を内部から保持する軸棒２と、ロール紙１から紙１ａを挟圧して所定長さ毎引き出す送り出しローラ３・送り出し補助ローラ12と、引き出された所定長さの紙１ａを切り残し部16を設けて仮切断するための切欠部５ａ, ５ａが先端に設けられた帯状の切断刃５と、仮切断された所定長さの紙１ａを上記送り出しローラ３の回転停止状態にて平坦折畳状に巻き取りながら上記切り残し部16を切断する巻き取り回転体４と、を備えたことを特徴とするロール紙巻取切断機。
【請求項２】
ロール紙１を内部から保持する軸棒２と、ロール紙１から紙１ａを挟圧して所定長さ毎引き出す送り出しローラ３・送り出し補助ローラ12と、引き出された所定長さの紙１ａを切り残し部16を設けて仮切断する切断刃５と、仮切断された所定長さの紙１ａを平坦折畳状に巻き取りながら上記切り残し部16を切断する巻き取り回転体４と、該巻き取り回転体４の回転円Ｃ内に挿設され、該巻き取り回転体４に巻き取られる紙１ａに接触して巻締力を付与する巻締部47と、を備えたことを特徴とするロール紙巻取切断機。
【請求項３】
巻き取り回転体４は、回転板40と、該回転板40にその軸心Ｌに対して対称位置に垂設された２本の折畳棒41，41と、を備え、該２本の折畳棒41，41の間に配設された紙１ａを平坦折畳状に巻き取るように構成され、さらに、該２本の折畳棒41，41を相互に接近・離間自在として、折畳幅が可変となるように構成された請求項１又は２記載のロール紙巻取切断機。
【請求項４】
上記巻き取り回転体４にて折畳状に巻き取られる上記紙１ａの量の決定を、上記送り出しローラ３の回転数のカウンター制御によって行うことを可能とした請求項１、２又は３記載のロール紙巻取切断機。
【発明の詳細な説明】
【０００１】
【発明の属する技術分野】
本発明は、ロール紙巻取切断機に関する。
【０００２】
【従来の技術】
従来、（トイレットペーパ等の）ロール紙から所定長さの紙を切り取って折り畳む機械はなく、これらの作業を手作業で行っていた。即ち、ホルダーにセットされたロール紙から一方の手で紙を目分量で適当に引き出し、他方の手でホルダーの上カバーを押さえ、引き出した紙を引っ張りながら切断し、切断した紙を適当な幅・枚数に平坦状に折り畳み使用していた。
【０００３】
【発明が解決しようとする課題】
しかしながら、従来の手作業では、ロール紙にはミシン目が入れてあるがその間隔が約23cmで必ずしもミシン目で切断するとは限らず、また、ミシン目は探しにくいため、引き出し量にバラツキが生じ、折り畳み幅・枚数も一定せず、手間のかかるものであった。
【０００４】
そこで、本発明は、所定の折り畳み幅・枚数となるようにロール紙から所定長さの紙を平坦折畳状に巻き取って切断することができるロール紙巻取切断機を提供することを目的とする。
【０００５】
【課題を解決するための手段】
上述の目的を達成するために、本発明に係るロール紙巻取切断機は、ロール紙を内部から保持する軸棒と、ロール紙から紙を挟圧して所定長さ毎引き出す送り出しローラ・送り出し補助ローラと、引き出された所定長さの紙を切り残し部を設けて仮切断するための切欠部が先端に設けられた帯状の切断刃と、仮切断された所定長さの紙を上記送り出しローラの回転停止状態にて平坦折畳状に巻き取りながら上記切り残し部を切断する巻き取り回転体と、を備えたものである。
【０００６】
また、ロール紙を内部から保持する軸棒と、ロール紙から紙を挟圧して所定長さ毎引き出す送り出しローラ・送り出し補助ローラと、引き出された所定長さの紙を切り残し部を設けて仮切断する切断刃と、仮切断された所定長さの紙を平坦折畳状に巻き取りながら上記切り残し部を切断する巻き取り回転体と、該巻き取り回転体の回転円内に挿設され、該巻き取り回転体に巻き取られる紙に接触して巻締力を付与する巻締部と、を備えたものである。
【０００７】
また、巻き取り回転体は、回転板と、該回転板にその軸心に対して対称位置に垂設された２本の折畳棒と、を備え、該２本の折畳棒の間に配設された紙を平坦折畳状に巻き取るように構成され、さらに、該２本の折畳棒を相互に接近・離間自在として、折畳幅が可変となるように構成されたものである。また、上記巻き取り回転体にて折畳状に巻き取られる上記紙の量の決定を、上記送り出しローラの回転数のカウンター制御によって行うことを可能としたものである。
【０００８】
【発明の実施の形態】
以下、実施の形態を示す図面に基づき、本発明を詳説する。
【０００９】
本発明に係るロール紙巻取切断機は、図１、図２及び図３に示すように、ロール紙１を内部から保持する軸棒２と、ロール紙１から紙１ａを挟圧して所定長さ毎引き出す送り出しローラ３・送り出し補助ローラ12と、引き出された所定長さの紙１ａを切り残し部を設けて仮切断する切断刃５と、仮切断された所定長さの紙１ａを平坦折畳状に巻き取りながら上記切り残し部を切断する巻き取り回転体４と、を備えている。そして、図11に示すように、平坦折畳状に巻き取られた被成形紙Ｍはそのまま使用され、この被成形紙Ｍの折畳幅Ｈは70mm〜 100mmがよく、使い勝手がよい。
【００１０】
本巻取切断機は、（直方体状の）外箱７を備え、外箱７の前面には、上扉８が（下側の）左右ヒンジ部８ａ，８ａを介して（左右）水平軸心廻りに揺動自在となるように取り付けられて（上側が）前方へ開くように構成されると共に、下扉９が（左側の）上下ヒンジ部９ａ，９ａを介して鉛直軸心廻りに揺動自在となるように取り付けられて（右側が）前方へ開くように構成されている。そして、下扉９を開けて、外箱７の下方内部に、予備のロール紙１を収納することができる。
【００１１】
また、外箱７の上面には、上カバー10が（左右）水平軸心廻りに揺動自在となるように取り付けられて上方へ開くように構成されている。なお、外箱７の後面が、（図示省略の）トイレのブース等の壁に取り付けられる。
【００１２】
軸棒２は、その両端部が外箱７内部の左右固定板13，13の上部のＵ字溝13ａ，13ａに離脱自在に嵌め込まれ、軸棒２にて内部を挿通状に保持されるロール紙１が、左右水平軸心廻りに回転可能となる。なお、ロール紙１の内部と軸棒２との接触摩擦を大きくすることで、ロール紙１の必要以上の空転を防止することができる。
【００１３】
ロール紙１は、例えばトイレットペーパであり、外箱７の上カバー10を上げて軸棒２を取り出し、ロール紙１の内部に軸棒２を通して、再び、軸棒２を左右固定板13，13に取り付けることで、ロール紙１を外箱７の内部に装着することができる。この装着方法は、従来と同じ方法であり、機械の故障時や停電時に、従来と同じ使用ができるようにしている。なお、上カバー10は、ロール紙１に当接しており、従来と同じ使用（切断）ができる。
【００１４】
送り出しローラ３は、軸棒２の下方に配設され、外箱７内部の左右固定板13，13に左右水平軸心廻りに回転可能となるように取り付けられており、ローラ３の後方に配設された（減速機付の）送り出しモータ21のモータギヤ22に、ローラ３のローラギヤ３ａが噛み合って、モータ21の回転にてローラ３が回転する。
【００１５】
また、ローラ３の前方には送り出し補助ローラ12が対向状に、かつ、ローラ３に接近・離間自在となるように配設されており、ローラ３と補助ローラ12とで、ロール紙１の紙１ａを適当な接触圧力で挟圧して下方へ引き出すように構成されている。
【００１６】
具体的に述べると、補助ローラ12の軸部は、ローラ３の軸部よりも５mm程度高い位置に取り付けられると共に、固定板13に貫設された前方上傾の略45°の角度を有する長孔13ｂ（図３参照）に保持されており、適度な接触圧力となる。即ち、長孔13ｂの角度が垂直に近くなる程接触圧力は強くなり、一方、長孔13ｂの角度が水平に近くなる程接触圧力は弱くなるからである。
【００１７】
なお、軸棒２及びローラ３，12の軸心方向の長さは、ロール紙１の軸心方向の長さよりも若干大きく設定されている。
【００１８】
ローラ３の外周長さは、被成形紙Ｍの折畳幅Ｈ（図11参照）と同じにしておくと制御がし易いため、ローラ３の直径Ｄ1 は25mm〜35mmが好ましい。また、モータギヤ22とローラギヤ３ａのギヤ比を１対１とすることで、モータギヤ22の１回転で被成形紙Ｍの折畳幅Ｈと同じ長さの紙１ａが送り出される。
【００１９】
モータギヤ22の周縁近傍には、カウンタータボ31が突設され、カウンタータボ31は、モータギヤ22の上方に配設されるカウンタースイッチ32に接触可能となり（モータギヤ22の１回転毎にカウンタースイッチ32を１度押し）、モータギヤ22が所定数回転した後に、送り出しモータ21が停止するように構成され、紙１ａの引き出し量を正確にすることができる。また、カウンタースイッチ32には、カウンター制御が設けられ、図１（イ）に示す下扉９に設けられたカウント指定部33と接続され、カウント指定部33により、送り出しローラ３の回転数が決定される。このカウント指定部33は、巻き取り回転体４にて折畳状に巻き取られる紙１ａの量（折畳枚数）を決定するものである。
【００２０】
また、ローラ３，12の外周面は、紙１ａを確実に引き出すことができるように粗く形成されている。また、それらの外周面には、複数の周方向の溝14…が（軸心方向）平行に形成され、ローラ３，12の下方に夫々配設される送り出しガイド15の（角形又は丸形の）差込棒15ａ…が、各々、溝14に下方から垂直状に挿入され、ローラ３，12にて引き出された紙１ａを、確実に下方へ導くことができる。なお、差込棒15ａは、静電気による紙１ａの付着を防ぐために金属製とするのが望ましい。
【００２１】
切断刃５は、紙１ａの幅より若干大きい帯状に形成され、切断刃５の先端（刃先）には、（幅方向）左右両端から夫々30mm程度の位置に（３mm〜５mm程度の幅の）切欠部５ａ，５ａが設けられ、紙１ａを切断刃５にて切断しても、紙１ａに切り残し部が設けられて紙１ａが下方へ落ちることなく垂れ下がった状態となる。即ち、切断刃５は、紙１ａを切り残し部を設けて仮切断するものといえる。
【００２２】
切断刃５は、アクチュエータ25に基端が連結している連結アーム36の先端に取り付けられた縦断面コ字形の切断箱26の内部に、先端側を露出するように装着され、送り出しローラ３の下方に配設されている。
【００２３】
連結アーム36は、アクチュエータ25の出力軸に基端が取り付けられたクランクアーム35の先端が取り付けられる上下方向の長孔36ａを有し、クランクアーム35の回転運動を連結アーム36（切断箱26）の（前後）往復直線運動とすることができる。
【００２４】
切断箱26の内部には、切断刃５の上下に夫々押圧板27が圧縮バネ28を介して取り付けられており、圧縮バネ28の自由状態では、押圧板27，27の先端が切断刃５の先端よりも突出している。また、押圧板27，27に対向して紙１ａを挟むように当接部材29が配設されており、当接部材29は、切断刃５が挿入可能な溝部30を有している。
【００２５】
切断箱26の上面には連動アーム37の基端が固着され、切断箱26の前後方向の動きに追従して、連動アーム37の先端が、補助ローラ12の軸部の後方上部で上端が固定板13に枢着された側面視くの字形状の板バネ34の下端に当接乃至離間して、補助ローラ12をローラ３に離間乃至当接させることができる。要するに、切断刃５及び補助ローラ12は、アクチュエータ25にて一体状に駆動されている。なお、板バネ34をバネ材で構成することで、切断箱26の前方移動距離に対して、補助ローラ12の軸部が移動する長孔13ｂの距離が短くても、板バネ34が弾性変形して、切断箱26の動きを吸収する。また、アクチュエータ25は、（例えば、42mm角、出力１Ｗの）減速機付モータが好ましい。
【００２６】
巻き取り回転体４は、切断刃５の下方に配設され、回転板40と、該回転板40にその軸心Ｌに対して対称に垂設された２本の（丸形の）折畳棒41，41と、を備え、該２本の折畳棒41，41の間に配設された紙１ａを平坦折畳状に巻き取るように構成されている。
【００２７】
回転板40は、外箱７の左の側板11に左右水平軸心Ｌ廻りに回転可能となるように取り付けられており、回転板40の後方に配設された（減速機付の）折り畳みモータ23のモータギヤ24に、回転板40の外周面に形成されたギヤが噛み合って、折り畳みモータ23の回転にて回転板40が回転する。
【００２８】
折畳棒41，41は、回転板40にその軸心Ｌに対して対称位置に貫設された２つの径方向の長孔40ａ，40ａに、夫々、ボルトが形成された基端部を挿通状にナット等の締付具にて固定されており、２本の折畳棒41，41は、（径方向に）相互に接近・離間自在となるように構成されている。
【００２９】
２本の折畳棒41，41の間隔は、２本の折畳棒41，41にて巻き取られる被成形紙Ｍの折畳幅Ｈ（図11参照）を決定するため、送り出しローラ３の２回転で送り出される量の紙１ａを１回転で巻き付けるように設定されている。
【００３０】
回転板40の周縁近傍には、軸心Ｌに対して対称位置に２つの停止タボ42，42が突設され、停止タボ42は、回転板40の後方に配設される停止スイッチ43に接触可能となり、２本の折畳棒41，41を結ぶ方向が水平面に対して30°〜45°の角度を成す位置で回転板40（折り畳みモータ23）を停止するように構成されている。
【００３１】
回転体４の後方下方位置には、光センサ発信部44が配設され、回転体４の前方下方位置には、巻取停止センサ受信部45が配設され、回転体４の前方上方位置には、巻取開始センサ受信部46が配設され、光センサ発信部44は、巻取停止センサ受信部45と巻取開始センサ受信部46とに同時に光センサを発信している。
【００３２】
巻取停止センサ受信部45は、光センサ発信部44から光センサを受信することで停止スイッチ43に信号を送り、センサ受信直後に停止タボ42が停止スイッチ43を押した時点で回転板40（折り畳みモータ23）を停止させる。ところで、タイマー制御等によって、巻き取り回転体４を、さらに約１〜２回転だけ、余分に回転してから、停止させるようにすれば、紙の巻締りが一層進んで、好ましい。
【００３３】
巻取開始センサ受信部46は、光センサ発信部44から光センサを受信することで送り出しモータ21に信号を送り、再度、送り出しローラ３を回転させて紙１ａを引き出す。
【００３４】
折畳棒41は、紙１ａの一端（左端）から紙１ａの横幅の80％程度位置までの範囲に接触可能となるように配設されており、上扉８の右側に設けられた切欠部18と右側板11の前側に設けられた切欠部19とで形成される開口部20から、折畳棒41，41に巻き取られた紙１ａ（被成形紙Ｍ）の右側を掴んで取り出すことができる。
【００３５】
折畳棒41の外周面は滑らかに形成されており、紙１ａが折畳棒41の外周面に対して滑り易くなる。
【００３６】
巻き取り回転体４の回転円Ｃ内に挿設され、巻き取り回転体４に巻き取られる紙１ａに接触して巻締力を付与する巻締部47を備えている。ここで、回転円Ｃとは、巻き取り回転体４の紙１ａを巻き取る部位（即ち、折畳棒41，41）が回転したときに内接する円をいう。具体的に述べると、折畳棒41，41の回転周辺部（回転体４の前方）に、冊状巻締部47ａが配設され、冊状巻締部47ａは、回転する折畳棒41，41に適当な圧力で接触し、折畳棒41，41にて巻き取られる紙１ａに（紙質・湿度等に関わらず）一定の巻き締め力を与え、巻き取り終了時に紙１ａの端を揃えようとするものである。冊状巻締部47ａは、例えば、（不燃布などの）布類で小さな本の如く作られ、折畳棒41，41の回転円Ｃ内に差し込み、折畳棒41が接触する毎に本をパラパラとしごくようにすればよい。また、その差し込み長さを可変にすれば、巻き締め強さも調整できる。
【００３７】
回転体４の下方には、送り出しローラ３にて引き出された紙１ａを蓄積する紙受けトレイ38が配設され、紙受けトレイ38の底部には、底上げ部38ａと複数の突起部38ｂ…とが設けられ、（３〜５mmの高さを有する）突起部38ｂは、外箱７の開口部20の下方位置に配設され、（３〜５mmの高さを有する）底上げ部38ａは、それ以外の所に配設されている。従って、本機を濡れた手で扱う場合、外箱７の開口部20付近で水滴が落ちる可能性があるが、底上げ部38ａと突起部38ｂ…により、紙１ａは、落ちている水滴で濡れることがない。
【００３８】
次に、本発明の作用（機能）を説明する。なお、カウント指定部33（図１参照）を（最少指定枚数となる）折畳枚数４枚に設定した場合を示す。
【００３９】
まず、図１に示す上扉８を開ける。このとき、上扉８が上扉８の後方に配設されたドアスイッチ50から離間してドアスイッチ50が「切」となり、本機内の全ての電源が切れる。同時に、一端が上扉８の上部に取り付けられると共に他端が補助ローラ12の軸部に取り付けられた離間鎖39を介して、図４（イ）に示すように、補助ローラ12をローラ３から離間させる。そして、ロール紙１から引き出した紙１ａを、ローラ３と補助ローラ12の間、差込棒15ａ，15ａの間を通して、切断刃５と当接部材29の間に達するまで差し入れて、上扉８を閉める。このとき、離間鎖39がゆるんで補助ローラ12が自重でローラ３に接近し、紙１ａをローラ３と補助ローラ12にて挟み、同時に、ドアスイッチ50が「入」となり、本機内の電源が入り、本機の運転を開始する。
【００４０】
そして、図４（ロ）に示すように、（指定された）所定長さの紙１ａを、ローラ３と補助ローラ12にて挟圧して引き出して、折畳棒41，41の間に通して、紙受けトレイ38に送り込む（蓄積する）。
【００４１】
その後、アクチュエータ25を作動させて、切断箱26を当接部材29に接近させていくと、まず、図５（イ）に示すように、押圧板27，27が当接部材29と共に紙１ａを挟み固定し、その後、図５（ロ）に示すように、押圧板27，27は圧縮バネ28，28に抗して切断箱26内部に収納されると共に切断刃５の先端が露出していき、切断刃５が溝部30に挿入して紙１ａを仮切断する。なお、補助ローラ12は、押圧板27，27が当接部材29に当接する少し前から、（連動アーム37が板バネ34を押圧することで）切断箱26の前進に追従してローラ３から離間し始める。即ち、ローラ３・補助ローラ12が、紙１ａを所定長さ引き出す毎に、一旦離間して紙１ａを解放するように構成しているため、一運転毎に、紙１ａの左右方向のズレを正常化・初期化することができ、正常に運転できる。また、板バネ34は弾性変形して切断箱26の動きを吸収している。
【００４２】
そして、仮切断後は、図５（ハ）に示すように、アクチュエータ25にて切断箱26を後退させ切断箱26を当接部材29から離間させる。なお、押圧板27，27が当接部材29から離間した時点では、補助ローラ12はローラ３から離間している。
【００４３】
このとき、紙１ａは切り残し部16を設けて仮切断されており、例えば、図６に示すように、紙１ａの幅方向に２か所の切り残し部16，16が形成され、紙１ａの切り残し部16，16の下流側に折畳棒41，41が配置されている。具体的に述べると、紙１ａの左端には折畳棒41の基端側が配置されると共に、折畳棒41の先端は、一番右側の切り残し部16から右側へ５〜10mm程度突出しており、折畳棒41，41にて紙１ａを巻き取る際に、切り残し部16はその直下にある折畳棒41，41にて引っ張られて確実に切断される。なお、切り残し部16の数は、２つに限定されず、折畳棒41の直上に配置していれば３つ以上でもよく、かつ、切り残し部での切断がミシン目での切断よりも容易に行われればよい。
【００４４】
そして、図７（イ）に示すように、（切り残し部16から先端までの）所定量の紙１ａを、回転体４にて巻き取り始めると、図７（ロ）に示すように、折畳棒41，41が、夫々、紙１ａの前面と後面に接触する。
【００４５】
なお、回転体４の回転と同時にローラ３を回転させて、切り残し部16を折畳棒41，41の回転円Ｃ付近まで（20〜30mm）送り出しておくことで、巻き取り後の紙１ａを（先端・基端が揃った）きれいなものとできる。この制御方法は、例えば、図３に示すように、送り出しモータ21のモータギヤ22のカウンタータボ31が、カウンタースイッチ32の下流側で接触する位置に調整スイッチ49を設け、カウンタータボ31が、カウンタースイッチ32から調整スイッチ49までの移動の間で、紙１ａを送り出すようにすればよい。
【００４６】
さらに、回転体４を回転させると、図８（イ）に示すように、所定量の紙１ａの基端は切り残し部16にてつながっているため、折畳棒41，41は、紙１ａの基端側と滑りを生じながら、（紙受けトレイ38にある）紙１ａの先端側から巻き取る。そして、図８（ロ）に示すように、折畳棒41に巻き付いている紙１ａが、（切り残し部16直下の）紙１ａの基端部に接触して（摩擦抵抗により）下方へ引っ張り、図８（ハ）に示すように、切り残し部16を完全に切断する。
【００４７】
その後、完全切断された紙１ａの先端・基端側が、図９（イ）に示すように、一度垂れ下がった後に、回転体４に巻き付けられ、図９（ロ）に示すように、光センサ発信部44と巻取停止センサ受信部45の間に紙１ａが無くなって巻取停止センサ受信部45が光センサ発信部44から光センサを受信し、回転体４の下方に（紙受けトレイ38）に紙１ａが無いことを検知し、停止スイッチ43に信号を送り、図10（イ）に示すように、センサ受信直後に停止タボ42が停止スイッチ43を押した時点で回転体４が停止する。
【００４８】
このとき、回転体４には、（４枚に折り畳まれた）被成形紙Ｍが巻き付けられており、使用者は、外箱７の開口部20（図１参照）から手を入れ、図10（ロ）に示すように、被成形紙Ｍのつまみ領域Ｎ（折畳棒41，41の先端外方及び折畳棒41，41の間）を掴んで、回転体４の軸心Ｌ方向へ抜き出す。すると、巻取開始センサ受信部46が光センサ発信部44から光センサを受信し、回転体４に被成形紙Ｍが無い（即ち、センサ発信部44とセンサ受信部46との間に被成形紙Ｍが無い）ことを検知し、直ちに、（図４に示すように）送り出しローラ３の運転を再開して、新たな被成形紙Ｍを成形する。
なお、回転体４から抜き取られた被成形紙Ｍは、図11に示すように、既に平坦状に折り畳まれているため、そのまま使用できる。
【００４９】
次に、図12に巻き取り回転体４の他の実施の形態を示し、折畳棒41の基端に基板部48が取り付けられ、基板部48に（径方向の）長孔48ａが形成され、基板部48が、長孔48ａを挿通した（ボルトなどの）固着具にて、回転板40に取り付けられ、２つの折畳棒41，41が相互に接近・離間自在となる。
【００５０】
次に、図13に本発明の他の実施の形態を示し、図３と比較すると明らかな如く次の構成が相違する。
【００５１】
即ち、図３の底上げ部38ａ及び突起部38ｂに代えて、図13に於ては、紙受けトレイ38の底部に、側面視への字状に折り曲げられた金属線材51が、紙面手前から奥方向に（本巻取切断機の左右方向に）、所定（例えば、15〜20mm）間隔で、複数本並設されている。そして、金属線材51の頂点は、垂下する紙１ａの先端よりも若干前方に位置しており、紙受けトレイ38前方に偏りがちな紙１ａの蓄積を後方にも適度に蓄積することができる。もちろん、蓄積された紙１ａが紙受けトレイ38の底部にある水滴に濡れることを防止することができる。
【００５２】
また、折り畳みモータ23のモータギヤ24と、回転板40のギヤと、のギヤ比を、１対２とし、モータギヤ24の１回転で、巻き取り回転体４による折り畳み枚数を１枚分とする。さらに、図３の巻き取り回転板40の２つの停止タボ42，42及び停止スイッチ43に代えて、図13に於ては、モータギヤ24に１つの停止タボ52、及び、その停止タボ52に接触する停止スイッチ53を設ける。
【００５３】
また、図３の冊状巻締部47ａに代えて、図13に於ては、回転体４の後半部分でかつ回転円Ｃ内に帯状巻締部47ｂを垂下状に挿設し、折畳棒41，41にて巻き取られる紙１ａに接触して巻締力を付与するようにしている。このように、帯状巻締部47ｂは本体への収まりがよく、紙１ａの送り出しを阻害することがない。
【００５４】
帯状巻締部47ｂは、例えば、摩耗しても糸のほつれることのない（不燃布などの）布類を複数枚重ねて、左右方向横縞状（横断状）に高周波ミシン等で熱溶着して、紙１ａとの接触面に波状の凹凸を形成するように製作され、紙１ａとの接触圧力を高め一層強い巻締力を付与することができる。
【００５５】
帯状巻締部47ｂの左右幅は、折畳棒41の長さよりも短く設定されて、帯状巻締部47ｂは、折畳棒41の長さ内に配設される。従って、帯状巻締部47ｂは、光センサ発信部44の光センサを阻止することがない。
【００５６】
帯状巻締部47ｂの上下長さは、回転円Ｃの直径よりも長く設定され、折畳棒41が帯状巻締部47ｂに長い間確実に接触するように構成されている。
【００５７】
帯状巻締部47ｂの下方先端には（３〜10グラムの）重り54が取り付けられており、巻締力を一層大きくすることができる。もちろん、重り54を省略してもよい。また、タイマー制御等によって、更に１〜２回転だけ余分に巻き取り回転体４を回転させることで、巻締力を増加するのが良い。
【００５８】
帯状巻締部47ｂの上方基端は、前後方向に移動可能なスライド板55に取り付けられ、前後位置の調整が可能となる。具体的に述べると、スライド板55には調節レバー56が取り付けられ、本体の右側板11（図１参照）に貫設された調節窓部57の係止凹凸部に、調節レバー56を係脱することで、スライド板55を、例えば、図13中の実線と仮想線に示すように、所望の前後位置に固定することができる。なお、本体外部より、調節レバー56を操作して、スライド板55の前後位置を容易に調節できる。
【００５９】
即ち、図13中の実線に示すように、帯状巻締部47ｂを前方位置に固定すると、折畳棒41と接触したときに形成される帯状巻締部47ｂの折畳棒41側の折曲角度θが小さくなり、折畳棒41との接触圧力が大きくなって、巻締力が強くなる。これに対して、図13中の仮想線に示すように、帯状巻締部47ｂを後方位置に固定すると、折曲角度θが大きくなり、折畳棒41との接触圧力が小さくなって、巻締力が弱くなる。要するに、スライド板55の前後位置調節により、巻締力の強弱を調節することができる。
【００６０】
次に、帯状巻締部47ｂの作用を説明する。
図14（イ）に示すように、折畳棒41が帯状巻締部47ｂに接触している状態で、（切り残し部16から先端までの）所定量の紙１ａを、回転体４にて巻き取り始めると、図14（ロ）に示すように、折畳棒41が帯状巻締部47ｂから離間し、帯状巻締部47ｂは鉛直状に垂れ下がった状態となる。
【００６１】
そして、図15（イ）に示すように、折畳棒41は、紙１ａを巻き付けながら、再度、帯状巻締部47ｂに接触する。このとき、帯状巻締部47ｂは、重り54の慣性により、くの字状に折り曲げられるため、紙１ａを折畳棒41に強く巻き付けることができる。
【００６２】
その後、図15（ロ）に示すように、回転体４に被成形紙Ｍが巻き付けられることとなるが、帯状巻締部47ｂにより、紙１ａの基端を揃えることができる。即ち、帯状巻締部47ｂを前方位置に設置すると、紙１ａの基端が前方へ寄り、帯状巻締部47ｂを後方位置に設置すると、紙１ａの基端が後方へ寄る。
【００６３】
なお、本発明は上述の実施の形態に限定されず、例えば、（図示省略するが）外箱７の右側の側板11に、被成形紙Ｍを10〜20枚程度収納できるストックケースを取り付けておくことで、便利なものとしてもよく、また、アクチュエータ25はソレノイド等でもよく、切断刃５を動かす機構などは、本発明の要旨を逸脱しない範囲で設計変更可能である。
【００６４】
【発明の効果】
本発明は上述の如く構成されるので、次に記載する効果を奏する。
【００６５】
（請求項１によれば、）所定の折り畳み幅・枚数となるようにロール紙（トイレットペーパ）１から所定長さの紙１ａを平坦折畳状に巻き取って切断するため、平坦折畳状の紙１ａをそのままの形状で使用でき、片手で取り扱えて手間がかからず、特に、幼児や手の不自由な人でも簡単に使用できる。また、ロール紙１に直接に手を触れることがないため、濡れた手でもそのまま利用することができ、例えば、スイミング・プールに隣接のトイレや、一般のトイレ等に設置して、手洗い後の簡便・安価な手拭きとして利用できる。さらに、紙１ａを、送り出しローラ３にて引き出してから、切断刃５にて仮切断し、巻き取り回転体４にて巻き取る、いわゆる３工程で、平坦折畳状の紙１ａを成形でき、全体として制御が簡単となる。
【００６６】
（請求項２によれば、）被成形紙Ｍの形状が、空気抵抗により中央部の膨らんだ楕円状となることを防止し、被成形紙Ｍを確実に平坦折畳状とでき、使用感のよいものとすることができる。また、被成形紙Ｍの端縁を所望の位置に揃えることができる。
（請求項３によれば、）巻き取り回転体４の構造を簡単にできると共に、紙詰まりや巻き付け不良を防止して、確実に紙１ａを巻き取ることができ、平坦折畳状の紙１ａをきれいに成形できる。
また、巻き取り回転体４にて巻き取られる紙１ａ（被成形紙Ｍ）の折り畳み幅を簡単に変更できる。
【図面の簡単な説明】
【図１】本発明の実施の一形態を示す構成説明図である。
【図２】正面断面図である。
【図３】右側面視作用説明図である。
【図４】作用説明図である。
【図５】作用説明図である。
【図６】要部作用説明図である。
【図７】作用説明図である。
【図８】作用説明図である。
【図９】作用説明図である。
【図10】作用説明図である。
【図11】被成形紙を示す斜視図である。
【図12】巻き取り回転体の他の実施の形態を示す構成説明図である。
【図13】本発明の他の実施の形態を示す右側面視作用説明図である。
【図14】作用説明図である。
【図15】作用説明図である。
【符号の説明】
１  ロール紙
１ａ  紙
２  軸棒
３  送り出しローラ
４  巻き取り回転体
５  切断刃
５ａ  切欠部
12  送り出し補助ローラ
16  切り残し部
40  回転板
41  折畳棒
47  巻締部
Ｃ  回転円
Ｌ  軸心
【図１】
0003571683.tif 000002
【図２】
0003571683.tif 000003
【図３】
0003571683.tif 000004
【図４】
0003571683.tif 000005
【図５】
0003571683.tif 000006
【図６】
0003571683.tif 000007
【図７】
0003571683.tif 000008
【図８】
0003571683.tif 000009
【図９】
0003571683.tif 000010
【図１０】
0003571683.tif 000011
【図１１】
0003571683.tif 000012
【図１２】
0003571683.tif 000013
【図１３】
0003571683.tif 000014
【図１４】
0003571683.tif 000015
【図１５】
0003571683.tif 000016